(57)【要約】      （修正有）【課題】挟持する袋の出入り部の厚みが大きくなっても対応可能な袋用クリップを提供する。【解決手段】袋用クリップＡは、凸部１ａを有する長手形状の本体１と、この本体１に回動自在に支持され、凸部１ａに嵌まる凹部２ａを有する長手形状の操作部材２とを備え、凸部１ａと凹部２ａとの間に、封が切られた袋Ｂの出入り部を挟持する袋用クリップＡであって、凸部１ａは、本体１の長手方向に沿って設けられ、凸部１ａの頂部には、本体１の長手方向に沿う長手形状の開口部１ｃが設けられ、この長手形状の開口部１ｃの長手方向は、本体１の長手方向に沿う形状である。  【選択図】図２
0003136377.tif 000002
【実用新案登録請求の範囲】
【請求項１】
凸部を有する長手形状の本体と、
この本体に回動自在に支持され、前記凸部に嵌まる凹部を有する長手形状の操作部材とを備え、前記凸部と前記凹部との間に、封が切られた袋の出入り部を挟持する袋用クリップであって、
前記凸部は、前記本体の長手方向に沿って設けられ、
前記凸部の頂部には、前記本体の長手方向に沿う長手形状の開口部が設けられ、
この長手形状の開口部の長手方向は、前記本体の長手方向に沿う形状である
ことを特徴とする袋用クリップ。 
【請求項２】
凸部の裏面には、本体の長手方向に沿って長手形状の凹所が形成され、
前記凸部は、薄肉の合成樹脂で成形されている
ことを特徴とする請求項１記載の袋用クリップ。 
【請求項３】
本体と操作部材は、それぞれ薄肉の合成樹脂で成形され、
前記本体の底部から立ち上がり、前記本体の回動部から遠い側の前記本体の端部に形成された一方の手で把持する第１の把持部と、
前記本体の長手方向を横断する方向であって、前記第１の把持部と前記本体の凸部との間の前記本体に形成された凹所である端部側凹所と、
前記操作部材の回動部から遠い側の前記操作部材の端部に形成された凸部である端部側凸部と、
前記操作部材の回動部に近い端部より遠い側の前記操作部材の端部に近い位置にあって、前記操作部材の長手方向の両側面より外方に突出し、他方の手で把持する第２の把持部と、
前記第１の把持部の前記本体の底部からの立ち上がりは、立ち上がり壁を構成し、前記端部側凸部が前記立ち上がり壁に設けた開口部である壁開口部に係止する
ことを特徴とする請求項１又は請求項２記載の袋用クリップ。 
【請求項４】
本体の凸部の頂部に設けられた前記本体の長手方向に沿う長手形状の開口部は、連結部を介して複数形成されている
ことを特徴とする請求項１〜３のいずれか１項に記載の袋用クリップ。
【考案の詳細な説明】
【技術分野】
【０００１】
本考案は、袋用クリップに係り、特に、挟持する袋の出入り部の厚みが大きくなっても対応可能な袋用クリップに関する。
【背景技術】
【０００２】
従来、例えば、封が切られた袋の出入り部を第１の部材と第２の部材で挟持して、前記袋の出入り部をシールするようにした袋用クリップがある。
また、一方、封が切られても、シールできるように、袋の開口部を開閉自在に嵌合する部材を予め袋に設けたものもある。
【０００３】
前者の袋用クリップにあっては、挟持する袋の出入り部の厚みに対応して製作されている関係上、挟持する袋の出入り部の厚みが厚くなると、第１の部材と第２の部材で挟持できないという問題点が生じる。また、逆に、挟持する袋の出入り部の厚みが厚いものにあわせて袋用クリップを製作すると、挟持する袋の出入り部の厚みが薄い場合、第１の部材と第２の部材で挟持できないという問題点が生じる。
また、後者の袋にあっては、専用のものであり、袋の開口部を開閉自在に嵌合する部材が袋にないものには、対応できないという問題点があった。
【考案の開示】
【考案が解決しようとする課題】
【０００４】
本考案は、前記した問題点を解決するためになされた袋用クリップを提供することを目的としている。
【課題を解決するための手段】
【０００５】
前記した目的を達成するための請求項１記載の袋用クリップは、凸部を有する長手形状の本体と、この本体に回動自在に支持され、前記凸部に嵌まる凹部を有する長手形状の操作部材とを備え、前記凸部と前記凹部との間に、封が切られた袋の出入り部を挟持する袋用クリップであって、前記凸部は、前記本体の長手方向に沿って設けられ、前記凸部の頂部には、前記本体の長手方向に沿う長手形状の開口部が設けられ、この長手形状の開口部の長手方向は、前記本体の長手方向に沿う形状である。
【０００６】
また、請求項２記載の袋用クリップは、請求項１記載の袋用クリップにおいて、凸部の裏面には、本体の長手方向に沿って長手形状の凹所が形成され、前記凸部は、薄肉の合成樹脂で成形されているものである。
【０００７】
また、請求項３記載の袋用クリップは、請求項１又は請求項２記載の袋用クリップにおいて、本体と操作部材は、それぞれ薄肉の合成樹脂で成形され、前記本体の底部から立ち上がり、前記本体の回動部から遠い側の前記本体の端部に形成された一方の手で把持する第１の把持部と、前記本体の長手方向を横断する方向であって、前記第１の把持部と前記本体の凸部との間の前記本体に形成された凹所である端部側凹所と、前記操作部材の回動部から遠い側の前記操作部材の端部に形成された凸部である端部側凸部と、前記操作部材の回動部に近い端部より遠い側の前記操作部材の端部に近い位置にあって、前記操作部材の長手方向の両側面より外方に突出し、他方の手で把持する第２の把持部と、前記第１の把持部の前記本体の底部からの立ち上がりは、立ち上がり壁を構成し、前記端部側凸部が前記立ち上がり壁に設けた開口部である壁開口部に係止するものである。
【０００８】
また、請求項４記載の袋用クリップは、請求項１〜３のいずれか１項に記載の袋用クリップにおいて、本体の凸部の頂部に設けられた前記本体の長手方向に沿う長手形状の開口部は、連結部を介して複数形成されているものである。
【考案の効果】
【０００９】
請求項１記載の袋用クリップによれば、凸部と凹部との間で挟持する袋の出入り部の厚みに多少の変動があっても、長手形状の本体に設けられた凸部の頂部に、前記本体の長手方向に沿う長手形状の開口部が設けられているため、凸部と凹部との間で挟持する袋の出入り部の厚みに応じて、長手形状の開口部が変形して、袋の出入り部を挟持することができる。
【００１０】
また、請求項２記載の袋用クリップによれば、上述の請求項１記載の考案の効果に加え、凸部と凹部との間で挟持する袋の出入り部の厚みが厚い場合にあっても、長手形状の開口部と共に、凸部の裏面に設けられた長手形状の凹所も変形するため、袋の出入り部を容易に挟持することができる。
【００１１】
また、請求項３記載の袋用クリップによれば、上述の請求項１又は請求項２記載の考案の効果に加え、本体と操作部材がそれぞれ薄肉の合成樹脂で成形され、しかも、一方の手で本体の回動部から遠い側の端部に形成された第１の把持部を、他方の手で操作部材の長手方向の両側面より外方に突出した第２の把持部を、それぞれ把持して、操作するため、端部側凸部の壁開口部への係止、非係止を簡易且つ迅速に行うことができる。
【００１２】
また、請求項４記載の袋用クリップによれば、上述の請求項１〜３記載の考案の効果に加え、凸部の頂部に設けられた本体の長手方向に沿う長手形状の開口部は、連結部を介して複数形成されているため、凸部の頂部の強度を保つことができる。
【考案を実施するための最良の形態】
【００１３】
本考案の一実施例を図面を参照して説明する。
図１〜図１２において、Ａは封が切られた袋Ｂの出入り部を挟持する袋用クリップで、袋用クリップＡは、凸部１ａを有する長手形状の本体１と、この本体１に回動自在に支持され、凸部１ａに嵌まる凹部２ａ（図８参照）を有する長手形状の操作部材２とを備え、凸部１ａと凹部２ａとの間に、封が切られた袋Ｂの出入り部を挟持するものである（図７参照）。
【００１４】
本体１と操作部材２は、それぞれ薄肉の合成樹脂で成形されている。本体１の凸部１ａは、図２に示すように、底部１ｂより突出し、本体１の長手方向に沿って設けられている。また、凸部１ａの頂部には、本体１の長手方向に沿う長手形状の開口部１ｃが設けられている。この長手形状の開口部１ｃの長手方向は、本体１の長手方向に沿う形状となっている。また、凸部１ａの頂部に設けられた本体１の長手方向に沿う長手形状の開口部１ｃは、連結部Ｓ（図２及び図３参照）を介して複数形成されており、凸部１ａの頂部の強度を保つようになっている。なお、場合により、図４に示すように、連結部Ｓを設けず、単一の長手形状の開口部１ｃとしても良い。
【００１５】
また、凸部１ａの裏面には、本体１の長手方向に沿って長手形状の凹所１ｄが形成され（図６、図７、図８、図１１及び図１２参照）、凸部１ａは、薄肉の合成樹脂で成形されている。
また、１ｅは、一方の手（例えば、右手）で把持する第１の把持部で、第１の把持部１ｅは、本体１の底部１ｂから立ち上がり、本体１の回動部から遠い側の端部に形成されている。
また、１ｆは、本体１の長手方向を横断する方向であって、第１の把持部１ｅと凸部１ａとの間の本体１に形成された凹所である端部側凹所となっている。
また、第１の把持部１ｅの本体１の底部１ｂからの立ち上がりは、立ち上がり壁１ｇを構成し、後述する端部側凸部２ｃが立ち上がり壁１ｇに設けた開口部である壁開口部１ｈに係止するようになっている。
【００１６】
また、２ｃは、操作部材２の回動部から遠い側の端部２ｂに形成された凸部である端部側凸部で、２ｄ、２ｅは、操作部材２の回動部に近い端部より遠い側の端部２ｂに近い位置にあって、操作部材２の長手方向の両側面よりそれぞれ外方に突出し、他方の手（例えば、左手）で把持する第２の把持部である。
なお、上述した回動部は、図１及び図３に示すように、本体１の第１の把持部１ｅと反対側の端部に近い位置にあって、本体１の長手方向の両側面よりそれぞれ外方に突出した突出部１ｊ、１ｋと、この突出部１ｊ、１ｋに遊嵌する開口部２ｆ、２ｇとで構成されている。この開口部２ｆ、２ｇは、操作部材２の両側面にそれぞれ設けられている。
【００１７】
従って、封が切られた袋Ｂの出入り部を図２に示すように、本体１の頂部である凸部１ａに置き、第１の把持部１ｅを右手（図示せず）で把持し、操作部材２の第２の把持部２ｄ、２ｅを左手（図示せず）で把持し、操作部材２を図２の矢印方向に回動すれば、端部側凸部２ｃが壁開口部１ｈに係止する。
その結果、封が切られた袋Ｂの出入り部の凸部１ａと凹部２ａとの挟持状態が保持される（図１参照）。
【００１８】
特に、凸部１ａと凹部２ａとの間で挟持する袋の出入り部の厚みに多少の変動があっても、[図９及び図１１が袋Ｂの出入り部の厚みＴが厚い場合、図１０  及び図１２が袋Ｂの出入り部の厚みｔ（ｔ＜Ｔ）が薄い場合、をそれぞれ示している。]、長手形状の本体１に設けられた凸部１ａの頂部に、本体１の長手方向  に沿う長手形状の開口部１ｃが設けられているため、凸部１ａと凹部２ａとの間で挟持する袋Ｂの出入り部の厚みに応じて、長手形状の開口部１ｃが変形して、袋Ｂの出入り部を挟持することができ、更に、凸部１ａと凹部２ａとの間で挟持する袋Ｂの出入り部の厚みが厚い場合、長手形状の開口部１ｃと共に、凸部１ａの裏面に設けられた長手形状の凹所１ｄも変形するため、袋Ｂの出入り部を容易に挟持することができる。
【００１９】
また、本体１と操作部材２がそれぞれ薄肉の合成樹脂で成形され、しかも、一方の手（例えば、図示しない右手）で本体１の回動部から遠い側の端部に形成された第１の把持部１ｅを、他方の手（例えば、図示しない左手）で操作部材２の長手方向の両側面より外方に突出した第２の把持部を２ｄ、２ｅを、それぞれ把持して、操作するため、端部側凸部２ｃの壁開口部１ｈへの係止、非係止を簡易且つ迅速に行うことができる。
【図面の簡単な説明】
【００２０】
【図１】図１は、本考案の一実施例の袋用クリップで封が切られた袋の出入り部を挟持する状態の概略的斜視図である。
【図２】図２は、封が切られた袋の出入り部を図１の袋用クリップで挟持する前の状態の概略的斜視図である。
【図３】図３は、図１の袋用クリップの本体の概略的平面図である。
【図４】図４は、図３の袋用クリップの本体の他の実施例の概略的平面図である。
【図５】図５は、図１の袋用クリップの概略的正面図である。
【図６】図６は、図５の袋用クリップの概略的断面図である。
【図７】図７は、図５の７−７線の概略的断面図である。
【図８】図８は、図２の概略的断面図である。
【図９】図９は、封が切られた袋の出入り部を折り曲げ、該折り曲げた部位を図１の袋用クリップで挟持した状態を示す概略的斜視図である。
【図１０】図１０は、図９の袋とは異なる袋の出入り部を図１の袋用クリップで挟持した状態を示す概略的斜視図である。
【図１１】図１１は、図９の袋用クリップの概略的断面図である。
【図１２】図１２は、図１０の袋用クリップの概略的断面図である。
【符号の説明】
【００２１】
Ａ    袋用クリップ
Ｂ    袋
１    本体
１ａ  凸部
１ｃ  長手形状の開口部
２    操作部材
２ａ  凹部
【図１】
0003136377.tif 000003
【図２】
0003136377.tif 000004
【図３】
0003136377.tif 000005
【図４】
0003136377.tif 000006
【図５】
0003136377.tif 000007
【図６】
0003136377.tif 000008
【図７】
0003136377.tif 000009
【図８】
0003136377.tif 000010
【図９】
0003136377.tif 000011
【図１０】
0003136377.tif 000012
【図１１】
0003136377.tif 000013
【図１２】
0003136377.tif 000014